(57)【要約】      （修正有）【課題】フィルムが被包装品に貼り付いたり、シワや凹みを生じたりしにくい包装体及びそれに用いられる被包装品用台紙を提供する。【解決手段】被包装品用台紙に載せた被包装品をフィルムで包装してなる包装体において、被包装品用台紙は、被包装品Ｃを載せる本体片２１と、周縁の相対向する位置から相反する二方向又は互いに離間する三方向以上に延びる複数の側方片２２を有し、複数の側方片は、フィルムで形成されるコーナー部の近傍内側に配置され、上方に折り曲げられた状態からスプリングバックすることにより、コーナー部へ倒れこむようにして、フィルムを内側から張るように押圧支持する。【選択図】図１
0003228056.tif 000002
【実用新案登録請求の範囲】
【請求項１】
被包装品用台紙に載せた被包装品をフィルムで包装してなる包装体において、
前記被包装品用台紙は、前記被包装品を載せる本体片と、該本体片の周縁から相反する二方向又は互いに離間する三方向以上に延びる複数の側方片を有してなり、
前記複数の側方片は、上方に折り曲げられた状態で包装されており、スプリングバックにより、前記フィルムを内側から張るように支持することを特徴とする包装体。
【請求項２】
被包装品用台紙に載せた被包装品をフィルムで角折包装してなる包装体において、
前記被包装品用台紙は、前記被包装品を載せる本体片と、該本体片の周縁から相反する二方向に延びる二以上の側方片を有してなり、
前記側方片は、上方に折り曲げられ、かつ、角折包装したフィルムにおいて相対向するコーナー部の内側に各々配置される状態で包装されており、スプリングバックにより、前記フィルムを内側から張るように支持することを特徴とする包装体。
【請求項３】
請求項１又は２記載の包装体において、前記側方片は、前記被包装品より背が高いことを特徴とする包装体。  
【請求項４】
被包装品を載せられて、該被包装品と共にフィルムで包装される被包装品用台紙において、
前記被包装品を載せる本体片と、該本体片の周縁から相反する二方向又は互いに離間する三方向以上に延びる複数の側方片を有してなり、
前記複数の側方片は、上方に折り曲げられた状態で包装されることにより、スプリングバックで前記フィルムを内側から張るように支持することを特徴とする被包装品用台紙。
【請求項５】
被包装品を載せられて、該被包装品と共にフィルムで角折包装される被包装品用台紙において、
前記被包装品を載せる本体片と、該本体片の周縁から相反する二方向に延びる二以上の側方片を有してなり、
前記側方片は、上方に折り曲げられ、かつ、角折包装したフィルムにおいて相対向するコーナー部の内側に各々配置される状態で包装されることにより、スプリングバックで前記フィルムを内側から張るように支持することを特徴とする被包装品用台紙。  
【考案の詳細な説明】
【技術分野】
【０００１】
本考案は、菓子等の商品を被包装品としてフィルムで包装してなる包装体及びそれに用いられる被包装品用台紙に関する。
【背景技術】
【０００２】
従来、小さい菓子や食品を個別包装する手段としてフィルムによる包装が一般に採用されている。例えば角折包装では、被包装品に上方から正方形状の包装用フィルムを被せ、被包装品に沿うように四方を角型に折り下げ、更に底面側に折り込み、重ね合わせられたフィルムを熱溶着で留める（例えば、特許文献１参照）だけで、安価で開封し易く包装することができる。
【先行技術文献】
【特許文献】
【０００３】
【特許文献１】特開２００３−１５５００１号公報
【考案の概要】
【考案が解決しようとする課題】
【０００４】
ところで、被包装品に対してフィルムを密着させると、フィルムが被包装品に貼り付いて、見栄えを損ねたり、開封時に表面が剥がれたりすることがある一方、フィルムを被包装品から浮かせると、フィルムに対する支えがないため、包装体にシワや凹みを生じ易く、フィルムが被包装品に貼り付くこともある。
【０００５】
本考案は、斯かる実情に鑑みて、フィルムが被包装品に貼り付いたり、シワや凹みを生じたりしにくい包装体及びそれに用いられる被包装品用台紙を提供する。
【課題を解決するための手段】
【０００６】
請求項１の考案は、被包装品用台紙に載せた被包装品をフィルムで包装してなる包装体において、前記被包装品用台紙は、前記被包装品を載せる本体片と、該本体片の周縁から相反する二方向又は互いに離間する三方向以上に延びる複数の側方片を有してなり、前記複数の側方片は、上方に折り曲げられた状態で包装されており、スプリングバックにより、前記フィルムを内側から張るように支持することを特徴とする。
【０００７】
請求項２の考案は、被包装品用台紙に載せた被包装品をフィルムで角折包装してなる包装体において、前記被包装品用台紙は、前記被包装品を載せる本体片と、該本体片の周縁から相反する二方向に延びる二以上の側方片を有してなり、前記側方片は、上方に折り曲げられ、かつ、角折包装したフィルムにおいて相対向するコーナー部の内側に各々配置される状態で包装されており、スプリングバックにより、前記フィルムを内側から張るように支持することを特徴とする。
【０００８】
請求項３の考案は、請求項１又は２記載の包装体において、前記側方片は、前記被包装品より背が高いことを特徴とする。
【０００９】
請求項４の考案は、被包装品を載せられて、該被包装品と共にフィルムで包装される被包装品用台紙において、前記被包装品を載せる本体片と、該本体片の周縁から相反する二方向又は互いに離間する三方向以上に延びる複数の側方片を有してなり、前記複数の側方片は、上方に折り曲げられた状態で包装されることにより、スプリングバックで前記フィルムを内側から張るように支持することを特徴とする。
【００１０】
請求項５の考案は、被包装品を載せられて、該被包装品と共にフィルムで角折包装される被包装品用台紙において、前記被包装品を載せる本体片と、該本体片の周縁から相反する二方向に延びる二以上の側方片を有してなり、前記側方片は、上方に折り曲げられ、かつ、角折包装したフィルムにおいて相対向するコーナー部の内側に各々配置される状態で包装されることにより、スプリングバックで前記フィルムを内側から張るように支持することを特徴とする。
【考案の効果】
【００１１】
本考案の包装体及びそれに用いられる被包装品用台紙によれば、フィルムが被包装品に張り付いたり、包装体にシワや凹みを生じたりすることを安価に防止することができる。
【図面の簡単な説明】
【００１２】
【図１】本実施形態に係る包装体の斜視図。
【図２】被包装品用台紙の（ａ）未使用状態と（ｂ）使用状態を示す斜視図。
【図３】包装機の主な構成を示す斜視図。
【図４】折込工程の説明図で（ａ）フィルムの四つの角部を折り下げた状態、（ｂ）続いて二つの角部を底面側に折り込んだ状態、及び（ｃ）更に残りの角部の一つを底面側に折り込んだ状態を示す斜視図。
【考案を実施するための形態】
【００１３】
以下、本考案の実施形態に係る包装体及びそれに用いられる被包装品用台紙について、図面を参照しながら説明する。
【００１４】
図１の包装体１は、概ね円筒形状の菓子（以下、「被包装品」という。）Ｃを、図２の被包装品用台紙（以下、「台紙」という。）２に載せ、上方から透明プラスチック製フィルム（以下、「フィルム」という。）Ｆを被せて台紙２ごと角折包装してなる。フィルムＦは、図１に示すように、被包装品Ｃを取り囲む四つの矩形状の側面部１ａ、１ｂ、１ｃ、１ｄと、正方形状の上面部１ｅ及び下面部１ｆからなる概ね直方体形状に折り込まれるが、その側面部１ａと１ｄが交差してなるコーナー部、及び側面部１ｂと１ｃが交差してなるコーナー部の近傍内側には、台紙２の本体部２１から延びる二つの側方片２２、２２が上側に折り曲げられた状態で配置されている。なお、図では、フィルムＦ内の被包装品Ｃを実線で表示している。
【００１５】
各側方片２２は、折曲げを解消する方向に弾性的に復元しようとするスプリングバックにより、相対向するコーナー部に向かうように倒れ込んで、それぞれ左右両側の角部２２Ｒ、２２Ｒでコーナー部を構成する二つの側面部を押圧支持するところ、全体として、四つの側面部すべてを内側から支持することになる。包装体１は、台紙２を介して被包装品Ｃと接する下面部１ｆ以外では、フィルムＦと被包装品Ｃの間に隙間があいているが、側方片２２による支えがあることで、フィルムＦは内側から張られるようになってシワや凹みを生じにくい。なお、各側方片２２は、包装体１内において外側に開いた状態でも被包装品Ｃより背が高くなるように長さ寸法が設定されており、フィルムＦが被包装品Ｃの上面に接して貼り付くようなことはない。
【００１６】
台紙２は、表裏両面を樹脂コーティングした厚み０．１５ｍｍの紙材を打抜き加工してなり、図２（ａ）及び（ｂ）に示すように、概ね円形状で被包装品Ｃの底面部と略同じ大きさの本体片２１と、その周縁の相対向する二カ所から相反する方向に延びる概ね矩形状の側方片２２，２２を有する。側方片２２は、本体片２１と繋がる根元部に折曲げを容易にする折目線２Ａが形成されている。先端側の角部２２Ｒは、フィルムＦに対する押圧部分を角張らせないように丸めてある。後述の角折包装機３にセットする際は、図２（ｂ）に示すように、本体片２１に被包装品Ｃを載せ、側方片２２を上方に折り曲げて、これらを両側から手指で把持するが、手を放すと、点線で示すようにスプリングバックする。
【００１７】
図３は、角折包装機３において包装に関わる主な構成を示した斜視図である、４は供給テーブル、５は突き上げリフト、６はフォーマー、７１は第一折り込み具、７２は第二折り込み具であり、これらにより、台紙２に載せられた被包装品ＣをフィルムＦで包むように角折して包装体１を形成する。
【００１８】
供給テーブル４は、複数の保持孔４１を周方向に等間隔で設けた円盤状の回転駆動テーブルで、図３に示すように保持孔４１で被包装品Ｃを収容保持して、矢印Ａ１方向に間欠回転し、フィルムＦを折り込む折込位置Ｐへ順次搬送する。保持孔４１は、平面視正方形状の有底孔で、底部の対角線上に形成したＸ形状のスリットＳが、後述するＸ形状のヘッド５２との干渉を回避する。作業者は、被包装品Ｃを保持孔４１にセットする際、各側方片２２がコーナー部に対して左右対称に相対するように向きを整える。各側方片２２は、保持孔４１内でスプリングバックして外側へ広がる。
【００１９】
突き上げリフト５は、図３に示すように、ロッド５１とその上端に設けた平面視Ｘ形のヘッド５２を備え、かつ、折込位置Ｐで供給テーブル４の下方に待機している（図３において一点鎖線で示す。）。ヘッド５２は、Ｘ形の各先端に四本の柱状体５２ａが立設されており、これらの内側に台紙２の上面に載せた被包装品Ｃを収容する。被包装品Ｃをセットされた保持孔４１が折込位置Ｐで停止すると、ロッド５１が矢印Ａ２のように駆動上昇し、ヘッド５２がスリットＳを突き抜ける。そして、保持孔４１内の被包装品Ｃを突き上げて（図３において実線で示す。）、フォーマー孔６１を通過させるまで上昇する。このとき、各側方片２２は、二本の柱状体５２ａに挟まれて被包装品Ｃ沿いに閉じている。
【００２０】
ところで、被包装品Ｃが供給テーブル４からフォーマー６に移動する途中で、不図示の駆動回転ロールから包装用フィルムを繰り出して(図３の矢印Ａ３方向)、これを正方形状にカットしたフィルムＦを被包装品Ｃに上方から被せる。フォーマー孔６１は、フォーマー６を上下貫通する平面視正方形状の貫通孔で、ヘッド５２より大きめに形成されている。ヘッド５２が被包装品ＣとフィルムＦを突き上げてフォーマー孔６１を通過すると、フォーマー孔６１の下側には、図３に示すように相対向する二枚のスカート板６２を形成されており、まずフィルムＦの同一対角線上の角部Ｆｃ、Ｆｄを折り下げて、次にスカート板６２の外側に残った部分をスカート板の無い辺の下側に形成された傾斜部６３で内側に折り込み、最後に他の対角線上の角部Ｆａ、Ｆｂを上から被せるように折り下げる。
【００２１】
ヘッド５２とフォーマー６が協働することにより、被包装品Ｃの周囲の四隅にある柱状体５２ａをガイドとして、図４（ａ）に示すようにフィルムＦを被包装品Ｃの周囲に折り下げ、上面部が平面視正方形状に形成されて、その周囲にフィルムＦの四つの角部Ｆａ、Ｆｂ、Ｆｃ、Ｆｄが垂下して、下側が開放した状態になる。このとき、突き上げリフト５は、被包装品Ｃの底面部がフォーマー孔６１の上端面よりも僅かに高くなる位置まで上昇している。これに対し、フォーマー孔６１の上端面に沿って進退するように設けられている二つの板状の第一折り込み具７１、７１が被包装品Ｃの下側へ進入して（図３、図４の矢印Ａ４方向）、図４（ｂ）に示すように角部Ｆａ、Ｆｂを底面側に折り込む。
【００２２】
第一折り込み具７１、７１が進入すると、ヘッド５２がこれらに干渉しないタイミングで下降し、角型に折り下げたフィルムから退出する。これと同時に、二つの側方片２２は柱状体５２ａによる押さえがなくなって、図４（ｂ）に示すように外側へ広がり、柱状体５２ａに代わってコーナー部を内側から支持する。各側方片はそれぞれコーナー部を構成する二つの側面部を支持し、結果として、四つの側面部すべてを外側へ張るように支持して、フィルム全体としてシワや凹みを生じにくくなる。四つの側面部を介して平面視正方形状の上面部も張られるようになって、シワや凹みを生じにくくなる。但し、このスプリングバックは折り曲げられた紙材が元に戻ろうとする程度のものであるから、折り込まれたフィルムの角型形状が型崩れするような事態は生じない。
【００２３】
そして、第一折り込み具７１、７１が後退して、入れ替わりでこれらと直交する方向に進退する第二折り込み具７２が被包装品Ｃの下側に進入して（図３、図４の矢印Ａ５方向）、図４（ｃ）に示すように垂下している残りの角部Ｆｃ、Ｆｄのうち、角部Ｆｃを被包装品Ｃの底面側に折り込む。なお、第二折り込み具７２は、フォーマー孔６１の上端面より低くなるようにフォーマー６の上面に形成された溝６４に沿って進退する。続いて、第二折り込み具７２と同方向に進退する不図示の押出体が前進して、フィルムＦで覆われた被包装品Ｃを折込位置Ｐから押し出す。このとき、垂下していた角部Ｆｄがフォーマー孔６１の縁６５で被包装品Ｃの底面側に折り込まれ、すべての角部が被包装品Ｃの底面側で重ね合わされる。被包装品Ｃが押し出された先には搬送路が設けられており、その上面に設けられているヒーターによる熱で重ね合わされたフィルムが溶着されて包装体１が完成する。
【００２４】
（上記実施形態の変形例）
上記実施形態では、被包装品Ｃは、円筒形状（丸型）としたが、三角柱形状、四角柱形状等の多角柱形状（角型）としても良い。また、包装体１は、被包装品Ｃに上方から被せたフィルムＦを上面視正方形状を成すように周囲を折り下げて、垂下した部分を底面側に折り込む角折包装としたが、上面視がその他の多角形状や円形状となるようにフィルムを折り下げて、その垂下した部分を底面側に折り込むようにしても良い。更にフィルムを折って包むものに限らず、フィルムを筒形に形成したピロー包装体としても良い。
【００２５】
上記実施形態では、被包装品Ｃを載せる本体片２１の周縁の相対向する二つの位置から相反する方向に延びる二つの側方片２２、２２を設けることとしたが、被包装品を載せる本体片から互いに離間する三方向以上（例えば相互に１２０度ずつずれた三方向）に延びる複数本の側方片を設けて、それらを上方に折り曲げられた状態で包装することにより、フィルムを三方向以上に張らせるようにしても良い。また、側方片２２は、角折包装したフィルムのコーナー部の近傍内側に配置して、当該コーナー部に向かって倒れこむようにしたが、コーナー部から離れた平坦部の近傍内側に配置して、当該平坦部に向かって倒れこむようにしても良い。
【００２６】
上記の何れにしても、被包装品を載せる本体片とその本体片の周縁から相反する二方向又は互いに離間する三方向以上に延びる複数の側方片からなる台紙を、上記実施形態と同様に一枚の紙材で形成し、本体片の上面に被包装品を載せると共にすべての側方片を本体片と繋がる根元部で上方に折り曲げて、被包装品を台紙ごとフィルムで包装し、上方に折り曲げた側方片が折り曲げ状態から元に戻ろうとするスプリングバックにより、フィルムを内側から張らせるようにして、包装体にシワや凹みを生じにくくすることができるものであれば良い。
【符号の説明】
【００２７】
１  角折包装体
２  被包装品用台紙
２１  本体片
２２  側方片
【図１】
0003228056.tif 000003
【図２】
0003228056.tif 000004
【図３】
0003228056.tif 000005
【図４】
0003228056.tif 000006